(57)【要約】【課題】蓄冷材を冷却する際に過冷却状態の発生を効果的に抑制する。【解決手段】水和物生成温度以下に冷却することで水和物を生成する蓄冷材を貯蔵する第１蓄冷材貯蔵部１０と、第１蓄冷材貯蔵部１０の蓄冷材に電圧を印加する電圧印加手段１２と、第１蓄冷材貯蔵部１０と連通し、蓄冷材を貯蔵する第２蓄冷材貯蔵部１５と、第２蓄冷材貯蔵部１５の蓄冷材を水和物生成温度以下に冷却する冷却手段２２〜２４とを設け、電圧印加手段１２によって、第１蓄冷材貯蔵部１０の蓄冷材の温度が水和物生成温度より低い温度となっている状態で電圧を印加する。【選択図】図１
2015187535.tif 000002
【特許請求の範囲】
【請求項１】
水和物生成温度以下に冷却することで水和物を生成する蓄冷材を貯蔵する第１蓄冷材貯蔵部（１０）と、
前記第１蓄冷材貯蔵部（１０）の蓄冷材に電圧を印加する電圧印加手段（１２）と、
前記第１蓄冷材貯蔵部（１０）と連通し、前記蓄冷材を貯蔵する第２蓄冷材貯蔵部（１５）と、
前記第２蓄冷材貯蔵部（１５）の蓄冷材を水和物生成温度以下に冷却する冷却手段（２２〜２４）とを備え、
前記電圧印加手段（１２）は、前記第１蓄冷材貯蔵部（１０）の蓄冷材の温度が前記水和物生成温度より低い温度となっている状態で電圧を印加することを特徴とする過冷却防止装置。
【請求項２】
前記第１蓄冷材貯蔵部（１０）および前記第２蓄冷材貯蔵部（１５）は、互いに隔離されて配置されていることを特徴とする請求項１に記載の過冷却防止装置。
【請求項３】
前記第１蓄冷材貯蔵部（１０）の蓄冷材の温度を調整する温度調整手段（１１）を備え、
前記温度調整手段（１１）は、前記電圧印加手段（１２）にて電圧を印加する際に、前記第１蓄冷材貯蔵部（１０）の蓄冷材の温度を前記水和物生成温度より低い温度に調整することを特徴とする請求項１または２に記載の過冷却防止装置。
【請求項４】
前記第２蓄冷材貯蔵部（１５）は、複数の蓄冷材貯蔵部（１５ａ、１５ｂ、１５ｃ）から構成され、
前記複数の蓄冷材貯蔵部（１５ａ、１５ｂ、１５ｃ）は、前記第１蓄冷材貯蔵部（１０）とそれぞれ連通していることを特徴とする請求項１ないし３の何れか１つに記載の過冷却防止装置。
【請求項５】
前記電圧印加手段（１２）は、一対の電極（１２ａ、１２ｂ）と、前記一対の電極（１２ａ、１２ｂ）間の距離を調整する調整手段（１２ｄ）とを備えていることを特徴とする請求項１ないし４の何れか１つに記載の過冷却防止装置。
【請求項６】
前記冷却手段（２２〜２４）は、前記第２蓄冷材貯蔵部（１５）の上部から蓄熱材を冷却することを特徴とする請求項１ないし５の何れか１つに記載の過冷却防止装置。
【請求項７】
前記第２蓄冷材貯蔵部（１５）の蓄熱材の冷熱を利用するための冷熱利用手段（２５〜２７）を備え、
前記冷熱利用手段（２５〜２７）は、前記第２蓄冷材貯蔵部（１５）の下部から蓄熱材の冷熱を受け取ることを特徴とする請求項１ないし６の何れか１つに記載の過冷却防止装置。
【発明の詳細な説明】
【技術分野】
【０００１】
本発明は、蓄冷材の過冷却を防止する過冷却防止装置に関する。
【背景技術】
【０００２】
ＴＢＡＢ（テトラブチルアンモニウムブロミド）水溶液を冷却して生成するＴＢＡＢ水和物は、大きな熱密度を有しており、蓄冷材として用いられることが知られている。ところが、ＴＢＡＢ水溶液は、水和物生成温度以下に冷却してもＴＢＡＢ水和物が生成しない過冷却状態となりやすく、蓄冷材として安定的に使用することが難しい。
【０００３】
これに対し、過冷却状態のＴＢＡＢ水溶液に電場を印加することで過冷却状態を解除する技術が報告されている（非特許文献１参照）。
【先行技術文献】
【非特許文献】
【０００４】
【非特許文献１】INTERNATIONAL JOURNAL OF REFRIGERATION 35 (2012) 1266-1274
【発明の概要】
【発明が解決しようとする課題】
【０００５】
しかしながら、非特許文献１に記載された方法では、ＴＢＡＢ水溶液のうち電場を印加した部分でのみ結晶核が発生して過冷却の解除が起こり、その部分から徐々に過冷却解除が進行してＴＢＡＢ水和物が結晶成長する。このため、過冷却状態となっているＴＢＡＢ水溶液を全体的に過冷却解除することが困難であった。
【０００６】
そこで、本発明は上記点に鑑み、蓄冷材を冷却する際に過冷却状態の発生を効果的に抑制することを目的とする。
【課題を解決するための手段】
【０００７】
上記目的を達成するため、請求項１に記載の発明では、水和物生成温度以下に冷却することで水和物を生成する蓄冷材を貯蔵する第１蓄冷材貯蔵部（１０）と、前記第１蓄冷材貯蔵部（１０）の蓄冷材に電圧を印加する電圧印加手段（１２）と、前記第１蓄冷材貯蔵部（１０）と連通し、前記蓄冷材を貯蔵する第２蓄冷材貯蔵部（１５）と、前記第２蓄冷材貯蔵部（１５）の蓄冷材を水和物生成温度以下に冷却する冷却手段（２２〜２４）とを備え、
前記電圧印加手段（１２）は、前記第１蓄冷材貯蔵部（１０）の蓄冷材の温度が前記水和物生成温度より低い温度となっている状態で電圧を印加することを特徴としている。
【０００８】
このように、蓄冷材を水和物生成温度より低い温度に冷却した状態で電圧印加手段（１２）にて蓄冷材に電圧を印加することで、第１蓄冷材貯蔵部（１０）で結晶核を効率的に発生させることができる。これにより、第１蓄冷材貯蔵部（１０）と連通している第２蓄冷材貯蔵部（１５）に結晶核が供給され、冷却手段（２２〜２４）にて第２蓄冷材貯蔵部（１５）の蓄冷材を水和物生成温度以下に冷却した際に、蓄冷材の過冷却を効果的に抑制することができる。
【０００９】
なお、上記各手段の括弧内の符号は、後述する実施形態に記載の具体的手段との対応関係を示すものである。
【図面の簡単な説明】
【００１０】
【図１】過冷却防止装置の全体構成を示す概念図である。
【図２】電圧印加部の電極の構成を示す概念図である。
【図３】ＴＢＡＢ水溶液の濃度と水和物生成温度との関係を示すグラフである。
【図４】過冷却防止制御処理を示すフローチャートである。
【発明を実施するための形態】
【００１１】
以下、本発明の実施形態について図１〜図４に基づいて説明する。
【００１２】
図１に示すように、本実施形態の過冷却防止装置１は、第１蓄冷材貯蔵部１０、第２蓄冷材貯蔵部１５、冷熱供給部２２、制御部２８等を備えている。
【００１３】
第１蓄冷材貯蔵部１０には、内部に蓄冷材が貯蔵されている。蓄冷材は、水和物生成温度以下に冷却することで水和物を生成するものであればよい。本実施形態では、蓄冷材としてＴＢＡＢ（テトラブチルアンモニウムブロミド）水溶液を用いている。ＴＢＡＢ水溶液は、冷却することでＴＢＡＢ水和物となり、冷熱を蓄える蓄冷材として好適に用いることができる。第１蓄冷材貯蔵部１０は、ＴＢＡＢ水溶液の過冷却を解除するための結晶核を生成するために設けられている。
【００１４】
第１蓄冷材貯蔵部１０には、温度調整部１１、電圧印加部１２、第１温度センサ１３が設けられている。温度調整部１１は、第１蓄冷材貯蔵部１０を冷却することで内部の蓄冷材を温度低下させるために設けられており、例えばペルチェ素子を用いることができる。電圧印加部１２は、蓄冷材に電圧を印加するために設けられており、例えば所定間隔で設けられた一対の電極間に電流を流す構成とすることができる。電圧印加部１２で蓄冷材に電圧を印加することで、第１蓄冷材貯蔵部１０の蓄冷材に結晶核が発生する。また、第１温度センサ１３は、第１蓄冷材貯蔵部１０に貯蔵されている蓄冷材の温度（第１蓄冷材温度）を検出するために設けられている。本実施形態の電圧印加部１２は、電極間隔調整機構を備えている。
【００１５】
図２に示すように、電圧印加部１２は、一対の電極１２ａ、１２ｂ、固定部材１２ｃ、モータ１２ｄを備えている。一対の電極１２ａ、１２ｂは、固定電極１２ａと可動電極１２ｂとから構成され、これらは先端同士が対向するように設けられている。可動電極１２ｂの軸部には雄ネジ部が形成され、固定部材１２ｃには可動電極１２ｂの雄ネジ部に対応する雌ネジ部が形成されている。
【００１６】
モータ１２ｄを作動させることで可動電極１２ｂが回転し、可動電極１２ｂを固定電極１２ａに対して近づく方向または遠ざかる方向に移動させることができる。これにより、電圧印加部１２は、固定電極１２ａと可動電極１２ｂとの間隔を調整することができる。また、固定電極１２ａと可動電極１２ｂとの距離は、例えばこれらの電極１２ａ、１２ｂ間の抵抗を測定することで検出することができる。なお、モータ１２ｄが「調整手段」に対応している。
【００１７】
第２蓄冷材貯蔵部１５は、内部に蓄冷材が貯蔵されている。第２蓄冷材貯蔵部１５は、蓄冷材配管１４を介して第１蓄冷材貯蔵部１０と連通しており、第１蓄冷材貯蔵部１０と第２蓄冷材貯蔵部１５との間で蓄冷材が流通可能となっている。また、第２蓄冷材貯蔵部１５は、第１蓄冷材貯蔵部１０から隔離されて配置されており、互いに与える熱の影響をできるだけ抑えるようになっている。
【００１８】
第２蓄冷材貯蔵部１５では、蓄冷材を冷却して水和物を生成することで蓄冷するように構成されている。第２蓄冷材貯蔵部１５にて、蓄冷材に蓄えられた冷熱は、例えば空調装置の冷房に利用することができる。
【００１９】
第２蓄冷材貯蔵部１５は、複数（本実施形態では３つ）の貯蔵部１５ａ、１５ｂ、１５ｃから構成されている。各貯蔵部１５ａ、１５ｂ、１５ｃは、蓄冷材配管１４を介してそれぞれ第１蓄冷材貯蔵部１０と接続されている。
【００２０】
各貯蔵部１５ａ、１５ｂ、１５ｃには、内部の蓄冷材の温度（第２蓄冷材温度）を検出するための温度センサ１６、１７、１８がそれぞれ設けられている。また、各貯蔵部１５ａ、１５ｂ、１５ｃには、内部の蓄冷材での過冷却状態の発生を検出するための過冷却検出部１９、２０、２１がそれぞれ設けられている。
【００２１】
過冷却検出部１９、２０、２１としては、例えば発光素子および受光素子を備え、発光素子から受光素子に到達する光の透過率を検出する構成や、受光素子にて散乱光を検出する構成とすることができる。蓄冷材が冷却され水和物の割合が増加すると、光の透過率が低下するので、水和物生成温度より低い温度において、光の透過率が基準値を上回っていれば過冷却状態であると判断でき、光の透過率が基準値を下回っていれば過冷却状態でないと判断できる。また、蓄冷材が冷却され水和物の割合が増加すると、発光素子からの光が散乱するので、水和物生成温度より低い温度において、散乱光を検出できなければ過冷却状態であると判断でき、散乱光を検出できれば過冷却状態でないと判断できる。
【００２２】
あるいは、蓄冷材が冷却され水和物の割合が増加すると蓄冷材の粘度が高くなるので、過冷却検出部１９、２０、２１によって蓄冷材の粘度を検出するようにしてもよい。この場合には、水和物生成温度より低い温度において、蓄冷材の粘度が基準値を下回っていれば過冷却状態であると判断でき、蓄冷材の粘度が基準値を上回っていれば過冷却状態でないと判断できる。
【００２３】
冷熱供給部２２は、冷媒配管２３を介して第１熱交換器２４に低温冷媒を供給し、第２蓄冷材貯蔵部１５を冷却するように構成されている。冷熱供給部２２は、例えば圧縮機、凝縮器、膨張弁等を備える周知の冷凍サイクルとして構成し、第１熱交換器２４は冷凍サイクルの蒸発器とすることができる。第１熱交換器２４は、第２蓄冷材貯蔵部１５に熱的に接触しており、冷熱供給部２２から供給される低温冷媒と第２蓄冷材貯蔵部１５との間で熱交換することで、第２蓄冷材貯蔵部１５に貯蔵された蓄冷材を冷却することができる。なお、冷熱供給部２２、第１熱交換器２４、冷媒配管２３が「冷却手段」に対応している。
【００２４】
図１に示すように、第１熱交換器２４は、第２蓄冷材貯蔵部１５の上部に配置されている。第２蓄冷材貯蔵部１５内で凝固していない蓄熱材は、第２蓄冷材貯蔵部１５の内部における上方に集まると考えられるので、第２蓄冷材貯蔵部１５の上部から冷却することで、蓄熱材を効率よく凝結させることができる。
【００２５】
なお、冷熱供給部２２から第１熱交換器２４に冷熱を供給する手段は、上記に述べた冷媒配管２３を用いて行っても良いし、あるいは冷熱供給部２２から冷熱を有する風などの流体を第１熱交換器２４に直接導入しても良い。
【００２６】
第２蓄冷材貯蔵部１５の蓄冷材に蓄えられた冷熱は、熱媒体を介して冷熱利用部２５に供給される。冷熱利用部２５は例えば空調装置とすることができ、熱媒体としては例えば水を用いることができる。第２蓄冷材貯蔵部１５の下方に、第２熱交換器２６が熱的に接触するように設けられており、第２熱交換器２６は第２蓄冷材貯蔵部１５と熱媒体との間で熱交換する。冷熱を受け取った熱媒体が熱媒体配管２７を介して冷熱利用部２５に流れることで、第２蓄冷材貯蔵部１５の蓄冷材に蓄えられた冷熱を冷熱利用部２５に供給することができる。なお、冷熱利用部２５、第２熱交換器２６、熱媒体配管２７が「冷熱利用手段」に対応している。
【００２７】
また、蓄熱材の水和物結晶は水よりも比重が大きいため、第２蓄冷材貯蔵部１５の内部における下方に集まると考えられる。このため、第２熱交換器２６を第２蓄冷材貯蔵部１５の下方に設けることで、第２蓄冷材貯蔵部１５の蓄冷材に蓄えられた冷熱を効率よく利用することができる。
【００２８】
なお、第２熱交換器２６から冷熱利用部２５に冷熱を供給する手段は、上記に述べた熱媒体配管２７を用いて行っても良いし、あるいは第２熱交換器２６から冷熱を有する風などの流体を冷熱利用部２５に直接導入しても良い。
【００２９】
制御部２８は、ＣＰＵ、ＲＯＭおよびＲＡＭ等を含む周知のマイクロコンピュータとその周辺回路から構成され、ＲＯＭ内に記憶された空調制御プログラムに基づいて各種演算、処理を行う。制御部２８には、温度センサ１３、１６、１７、１８、過冷却検出部１９、２０、２１からのセンサ信号が入力し、温度調整部１１、電圧印加部１２、冷熱供給部２２に制御信号を出力するように構成されている。
【００３０】
ここで、本実施形態で蓄冷材として用いられるＴＢＡＢ水溶液について説明する。図３に示すように、ＴＢＡＢ水溶液の水和物生成温度は水溶液濃度によって異なっている。また、図３に示すように、ＴＢＡＢ水溶液を冷却すると、水和度が約２６の第１水和物と、水和度が約３６の第２水和物の２種類の水和物が生成される。ＴＢＡＢ水溶液を冷却していくと、第１水和物が生成する。第１水和物の割合増加にともなって水溶液濃度が低下し、水和物生成温度が水和物生成曲線に沿って低下する。そして、約８℃以下になると、第２水和物の生成が始まる。
【００３１】
上記従来技術の欄で述べたように、ＴＢＡＢ水溶液は、水和物生成温度より低い温度に冷却してもＴＢＡＢ水和物が生成しない過冷却状態となりやすいという性質を有している。このため、本実施形態の過冷却防止装置１では、結晶核を効率的に発生させ、さらに結晶核を所望する部位に均一に供給することで、ＴＢＡＢ水溶液が過冷却状態になることを抑制している。
【００３２】
結晶核は、過冷却度が高いほど生じやすいことが知られている。このため、本実施形態では、第１蓄冷材貯蔵部１０において、ＴＢＡＢ水溶液を水和物生成温度より低い温度に冷却した状態で、つまり過冷却状態で、電圧印加部１２によってＴＢＡＢ水溶液を電圧を印加することで、結晶核を効率的に発生させている。具体的には、図３の斜線で示した温度領域でＴＢＡＢ水溶液に電圧を印加すればよい。第１蓄冷材貯蔵部１０にて生成された結晶核は、濃度差に基づく拡散によって、蓄冷材配管１４を介して第２蓄冷材貯蔵部１５に供給される。
【００３３】
本実施形態では、第１蓄冷材貯蔵部１０にて生成された結晶核は、蓄冷材配管１４を介して、複数の貯蔵部１５ａ、１５ｂ、１５ｃのそれぞれに枝分かれして供給されるように構成されている。これにより、第１蓄冷材貯蔵部１０にて生成された結晶核は、第２蓄冷材貯蔵部１５の特定箇所に偏ることなく、各貯蔵部１５ａ、１５ｂ、１５ｃに均一に拡散して供給することができる。
【００３４】
次に、上記構成の過冷却防止装置１による過冷却防止制御処理を図４のフローチャートに基づいて説明する。
【００３５】
図４に示すように、まず、第１温度センサ１３からのセンサ信号に基づいて第１蓄冷材貯蔵部１０の蓄冷材温度（第１蓄冷材温度）が水和物生成温度を下回っているか否かを判定する（Ｓ１０）。この結果、第１蓄冷材温度が水和物生成温度を下回っていないと判定された場合には（Ｓ１０：ＮＯ）、温度調整部１１にて第１蓄冷材貯蔵部１０を冷却する（Ｓ１１）。一方、第１蓄冷材温度が水和物生成温度を下回っていると判定された場合には（Ｓ１０：ＹＥＳ）、電圧印加部１２によって第１蓄冷材貯蔵部１０の蓄冷材に電圧を印加する（Ｓ１２）。これにより、第１蓄冷材貯蔵部１０の内部で結晶核が生成され、第２蓄冷材貯蔵部１５の蓄冷材に結晶核が供給される。
【００３６】
次に、冷熱供給部２２から第１熱交換器２４に低温冷媒を供給することで、第２蓄冷材貯蔵部１５を冷却する（Ｓ１３）。そして、温度センサ１６〜１８からのセンサ信号に基づいて第２蓄冷材貯蔵部１５の蓄冷材温度（第２蓄冷材温度）が水和物生成温度以下になったか否かを判定する（Ｓ１４）。
【００３７】
この結果、第２蓄冷材温度が水和物生成温度以下になっていないと判定された場合には（Ｓ１４：ＮＯ）、Ｓ１３の処理に戻る。一方、第２蓄冷材温度が水和物生成温度以下になったと判定された場合には（Ｓ１４：ＹＥＳ）、過冷却検出部１９、２０、２１からのセンサ信号に基づいて第２蓄冷材貯蔵部１５の蓄冷材が過冷却状態になっているか否かを判定する（Ｓ１５）。
【００３８】
この結果、蓄冷材が過冷却状態になっていると判定された場合には（Ｓ１５：ＹＥＳ）、第１温度センサ１３で検出した第１蓄冷材貯蔵部１０の蓄冷材温度（第１蓄冷材温度）が水和物生成温度を下回っているか否かを判定する（Ｓ１６）。この結果、第１蓄冷材温度が水和物生成温度を下回っていないと判定された場合には（Ｓ１６：ＮＯ）、温度調整部１１にて第１蓄冷材貯蔵部１０を冷却する（Ｓ１７）。一方、第１蓄冷材温度が水和物生成温度を下回っていると判定された場合には（Ｓ１６：ＹＥＳ）、電圧印加部１２によって第１蓄冷材貯蔵部１０の蓄冷材に電圧を印加する（Ｓ１８）。これにより、第１蓄冷材貯蔵部１０で結晶核が生成され、第２蓄冷材貯蔵部１５の過冷却状態となっている蓄冷材に結晶核が供給される。
【００３９】
また、Ｓ１５の判定処理の結果、蓄冷材が過冷却状態になっていないと判定された場合には（Ｓ１５：ＮＯ）、過冷却防止制御処理を終了する。
【００４０】
以上説明した本実施形態では、第１蓄冷材貯蔵部１０にて蓄冷材を水和物生成温度より低い温度に冷却した状態で、電圧印加部１２にて蓄冷材に電圧を印加している。このように、水和物生成温度より低い温度に冷却した蓄冷材に電圧を印加することで、結晶核を効率的に発生させることができる。これにより、第１蓄冷材貯蔵部１０と連通している第２蓄冷材貯蔵部１５に結晶核が供給され、第２蓄冷材貯蔵部１５で蓄冷材を水和物生成温度以下に冷却した際に、蓄冷材の過冷却を効果的に抑制することができる。
【００４１】
また、本実施形態では、蓄冷材を水和物生成温度より低い温度にして電圧を印加する第１蓄冷材貯蔵部１０と、蓄冷材を水和物生成温度以下にして水和物を生成する第２蓄冷材貯蔵部１５とを隔離して配置しているので、互いに熱の影響を最小限に抑えることができる。これにより、第１蓄冷材貯蔵部１０では、効率よく結晶核を発生させることができ、第２蓄冷材貯蔵部１５では効率よく水和物を生成することができる。
【００４２】
また、本実施形態では、第１蓄冷材貯蔵部１０の蓄冷材温度を調整することができる温度調整部１１を設けている。これにより、結晶核を発生させる必要が生じた場合に、第１蓄冷材貯蔵部１０の蓄冷材温度を水和物生成温度より低い温度に冷却することができ、結晶核を効率的に発生させることができる。
【００４３】
また、本実施形態では、貯蔵部１５ａ、１５ｂ、１５ｃを複数設け、電圧印加部１２にて発生した結晶核を各貯蔵部１５ａ、１５ｂ、１５ｃに供給することで、結晶核を特定箇所に偏ることなく各貯蔵部１５ａ、１５ｂ、１５ｃに均一に分配することができる。これにより、貯蔵部１５ａ、１５ｂ、１５ｃの全体で蓄冷材が過冷却状態になることを抑制して、水和物を均一に生成することができ、蓄冷効率を高めることができる。
【００４４】
また、本実施形態では、第２蓄冷材貯蔵部１５にて蓄冷材を冷却する際に過冷却状態になっていると判定された場合に、第１蓄冷材貯蔵部１０にて蓄冷材に電圧を印加して結晶核を発生させるように構成している。これにより、蓄冷材が一旦過冷却状態となった場合であっても、新たに結晶核を発生させることで、蓄冷材の過冷却状態を解除することができ、効率よく水和物を生成することができる。
【００４５】
また、本実施形態では、電圧印加部１２に電極間距離の調整機構を備えている。蓄熱材に電圧を印加して過冷却状態を解除する場合、電極間距離に最適範囲が存在する。このため、電圧印加部１２で蓄熱材に電圧を印加する際に電極間距離を調整することで、蓄熱材の過冷却状態の解除を効率よく行うことができる。さらに、電圧印加部１２にて電圧の印加を行うと、電極が徐々に減っていく。このため、電圧印加部１２の電極消耗に応じて電極間の距離を調整することで、電極間の距離を適切に保つことができる。
【００４６】
また、本実施形態では、第２蓄冷材貯蔵部１５の蓄熱材を冷却するための第１熱交換器２４を第２蓄冷材貯蔵部１５の上部に配置している。これにより、第２蓄冷材貯蔵部１５内で凝固することなく上方に集まっている蓄熱材を、第２蓄冷材貯蔵部１５の上部から冷却して、効率よく凝結させることができる。
【００４７】
また、本実施形態では、第２蓄冷材貯蔵部１５の蓄熱材の冷熱を受け取るための第２熱交換器２６を第２蓄冷材貯蔵部１５の下部に配置している。これにより、第２蓄冷材貯蔵部１５内で凝固して下方に集まっている蓄熱材の冷熱を、第２蓄冷材貯蔵部１５の下部から効率よく受け取ることができる。
【００４８】
（他の実施形態）
以上、本発明の実施形態について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【００４９】
例えば、上記実施形態では、蓄冷材としてＴＢＡＢを用いたが、これに限らず、冷却することによって水和物を生成し、かつ、過冷却状態となり易い蓄冷材であればよく、例えば塩化カルシウム六水和物等を用いてもよい。
【００５０】
また、上記実施形態では、第１蓄冷材貯蔵部１０にて発生した結晶核を拡散によって第２蓄冷材貯蔵部１５に供給するように構成したが、これに限らず、蓄冷材配管１４にポンプ等の圧送手段を設け、結晶核を強制的に第２蓄冷材貯蔵部１５に供給するようにしてもよい。
【符号の説明】
【００５１】
１０    第１蓄冷材貯蔵部
１１    温度調整部（温度調整手段）
１２    電圧印加部（電圧印加手段）
１２ａ  固定電極
１２ｂ  可動電極
１２ｃ  固定部材
１２ｄ  モータ（調整手段）
１４    蓄冷材配管
１５    第２蓄冷材貯蔵部
２２    冷熱供給部（冷却手段）
２３    冷媒配管（冷却手段）
２４    第１熱交換器（冷却手段）
２５    冷熱利用部（冷熱利用手段）
２６    第２熱交換器（冷熱利用手段）
２７    熱媒体配管（冷熱利用手段）
２８    制御部
【図１】
2015187535.tif 000003
【図２】
2015187535.tif 000004
【図３】
2015187535.tif 000005
【図４】
2015187535.tif 000006